(57)【要約】      （修正有）【課題】現在の受信操作を容易に確認できる電子時計を提供する。【解決手段】時刻表示又は動作表示を行う指針２ｃと、第１指示部材６０ｂ又は第２指示部材６０ｃにより指針２ｃに動作指示する動作指示部と、第１指示部材６０ｂと指針２ｃの軸とを通る第１仮想線の上の第１のインデックス５と、第２指示部材６０ｃと指針２ｃの軸とを通る第２仮想線の上の第２のインデックス６とを有し、動作指示部は、第１指示部材６０ｂまたは第２指示部材６０ｃにより指示を受け付けた場合に、指針２ｃにそれぞれ第１のインデックス５または第２のインデックス６を指すように指示し、指針２ｃが第１のインデックス５を指すときは、指針２ｃと第１仮想線との間の角度θ１が、指針２ｃと第２仮想線との間の角度θ２よりも小さく、指針２ｃが第２のインデックスを指すときは、指針２ｃと第２仮想線との間の角度θ２が、指針２ｃと第１仮想線との間の角度θ１よりも小さい。【選択図】図５
2019078770.tif 000002
【特許請求の範囲】
【請求項１】
時刻表示又は動作表示を行う指針と、
第１指示部材及び第２指示部材と、
前記第１指示部材又は前記第２指示部材により指示を受け付け、前記動作表示を前記指針に指示する動作指示部と、
前記第１指示部材と前記指針の軸とを通る第１仮想線の上に配置される第１のインデックスと、
前記第２指示部材と前記指針の軸とを通る第２仮想線の上に配置される第２のインデックスと、
を有し、
前記動作指示部は、
前記第１指示部材による指示を受け付けた場合に前記指針に前記第１のインデックスを指すように指示し、
前記第２指示部材による指示を受け付けた場合に前記指針に前記第２のインデックスを指すように指示し、
前記指針が前記第１のインデックスを指すときは、前記指針の中心線と前記第１仮想線との間の角度θ１が、前記指針の中心線と前記第２仮想線との間の角度θ２よりも小さく、
前記指針が前記第２のインデックスを指すときは、前記指針の中心線と前記第２仮想線との間の角度θ２が、前記指針の中心線と前記第１仮想線との間の角度θ１よりも小さい、
電子時計。
【請求項２】
時刻情報を含む電波を受信する受信部を備え、
前記第１指示部材又は第２指示部材のうち、いずれか一方により指示される動作は、前記時刻情報に基づいて内部時刻を修正する内部時刻修正動作であり、
前記第１指示部材又は第２指示部材のうち、他方により指示される動作は、前記時刻情報に基づいて位置情報を決定する位置情報決定動作である、
ことを特徴とする請求項１に記載の電子時計。
【請求項３】
前記内部時刻修正動作を行う場合に、前回受信結果を表示する前回受信結果表示部を有する請求項２に記載の電子時計。
【発明の詳細な説明】
【技術分野】
【０００１】
本発明は電子時計に関する。
【背景技術】
【０００２】
時刻情報を含む衛星電波を受信して、時刻の修正及びタイムゾーンの設定を行う衛星電波時計が知られている。
【０００３】
下記特許文献１には、１機以上の位置情報衛星から受信した衛星信号に含まれる時刻情報に基づいて内部時刻情報を修正する第一モードと、３機以上の位置情報衛星から受信した衛星信号に含まれる時刻情報及び位置情報に基づいて内部時刻情報を修正する第二モードと、を切り替えて動作モードを設定する電子時計が記載されている。
【先行技術文献】
【特許文献】
【０００４】
【特許文献１】特開２０１３−０５０３４１号公報
【発明の概要】
【発明が解決しようとする課題】
【０００５】
従来、衛星電波時計では、衛星電波の受信結果に基づいてタイムゾーンの修正を行った場合であっても、受信の成否の表示のみが行われていた。そのため、タイムゾーンが修正されたことや、修正後のタイムゾーンが正しく設定されたことを確認できないといった不便があった。
【０００６】
本発明はかかる事情に鑑みてなされたものであり、その目的は、タイムゾーンが修正されたことや、修正後のタイムゾーンが正しく設定されたことを確認できる衛星電波時計を提供することである。
【課題を解決するための手段】
【０００７】
上記課題を解決すべく本出願において開示される発明は種々の側面を有しており、それら側面の代表的なものの概要は以下の通りである。
【０００８】
（１）時刻情報を含む衛星電波を受信する受信部と、前記時刻情報に基づいて、タイムゾーンを含む測位情報を決定する測位情報決定部と、複数種類の情報の表示に割り当てられ、地域情報を指し示す指針と、前記衛星電波の受信後に、決定された前記測位情報を前記指針により指し示す測位情報表示部と、を有する衛星電波時計。
【０００９】
（２）（１）において、前記時刻情報に基づいて、内部時刻を修正する内部時刻修正動作と、前記時刻情報に基づいて、前記測位情報を決定する測位情報決定動作と、の少なくともいずれかを指示する動作指示部をさらに有する衛星電波時計。
【００１０】
（３）（２）において、前記指針により、前記内部時刻修正動作の指示に基づいて、時刻修正動作表示を行わせ、前記測位情報決定動作の指示に基づいて、測位動作表示を行わせる動作表示部をさらに有する衛星電波時計。
【００１１】
（４）（３）において、前記動作指示部は、時刻修正指示部材及び測位指示部材を含む操作部により指示を受け付け、前記指針は、前記時刻修正動作表示の際に、前記時刻修正指示部材を向き、前記測位動作表示の際に、前記測位指示部材を向く衛星電波時計。
【００１２】
（５）（１）乃至（４）のいずれか１項において、少なくとも前記測位情報表示部による前記測位情報の表示の前に、過去表示情報を前記指針により表示させる過去表示情報表示部をさらに有し、前記過去表示情報表示部は、少なくとも、前記過去表示情報として前記地域情報を表示する地域情報表示部を有する衛星電波時計。
【００１３】
（６）（５）において、前記内部時刻修正動作と、前記測位情報決定動作とで、前記過去表示情報の内容が異なる衛星電波時計。
【００１４】
（７）（６）において、前記過去表示情報表示部は、前記内部時刻修正動作を行う場合に、前回受信結果を表示する前回受信結果表示部を有する衛星電波時計。
【００１５】
（８）（６）又は（７）において、前記過去表示情報表示部は、前記測位情報決定動作を行う場合に、前記地域情報と異なる追加情報を表示する追加情報表示部を有する衛星電波時計。
【００１６】
（９）（８）において、前記追加情報表示部は、前記受信部の受信面に照射される光の光量を表す情報を表示する衛星電波時計。
【００１７】
（１０）（１）乃至（９）のいずれか１項において、前記受信部による前記衛星電波の受信が、ユーザの指示に基づかないものである場合に、前記測位情報表示部による前記測位情報の表示を制限する測位情報表示制限部をさらに有する衛星電波時計。
【００１８】
（１１）時刻情報を含む衛星電波を受信し、前記時刻情報に基づいて、タイムゾーンを含む測位情報を決定し、前記衛星電波の受信後に、決定された前記測位情報を、複数種類の情報の表示に割り当てられ、地域情報を指し示す指針により指し示す、測位情報決定方法。
【発明の効果】
【００１９】
上記本発明の（１）の側面によれば、タイムゾーンが修正されたことや、修正後のタイムゾーンが正しく設定されたことを確認できる衛星電波時計が得られる。
【００２０】
また、上記本発明の（２）の側面によれば、タイムゾーンの修正を伴わない内部時刻の修正と、タイムゾーンの修正を伴う内部時刻の修正とを区別して行うことのできる衛星電波時計が得られる。
【００２１】
また、上記本発明の（３）の側面によれば、内部時刻の修正又は測位情報の決定が行われたことを視覚的に把握できる衛星電波時計が得られる。
【００２２】
また、上記本発明の（４）の側面によれば、操作部材と指針の向きが一対一に対応し、内部時刻修正動作及び測位情報決定動作のいずれが行われたかが直感的に把握できる衛星電波時計が得られる。
【００２３】
また、上記本発明の（５）の側面によれば、衛星電波の受信前後における設定都市の変化を容易に把握することができる衛星電波時計が得られる。
【００２４】
また、上記本発明の（６）の側面によれば、内部時刻修正動作及び測位情報決定動作のいずれを指示したかが、視覚的に把握できる衛星電波時計が得られる。
【００２５】
また、上記本発明の（７）の側面によれば、衛星電波の受信に先立って、前回受信の成否を知ることができる衛星電波時計が得られる。
【００２６】
また、上記本発明の（８）の側面によれば、衛星電波の受信に先立って、衛星電波の受信を補助する情報を表示することができる衛星電波時計が得られる。
【００２７】
また、上記本発明の（９）の側面によれば、衛星電波の電波強度が強い環境に居るか否かを判断するための指標を示すことのできる衛星電波時計が得られる。
【００２８】
また、上記本発明の（１０）の側面によれば、衛星電波の自動受信が行われる場合に、消費電力が低減された衛星電波時計が得られる。
【００２９】
上記本発明の（１１）の側面によれば、タイムゾーンが修正されたことや、修正後のタイムゾーンが正しく設定されたことを確認できる測位情報決定方法が得られる。
【図面の簡単な説明】
【００３０】
【図１】本発明の第１の実施形態に係る衛星電波腕時計の外観の一例を示す平面図である。
【図２】本発明の第１の実施形態に係る衛星電波腕時計の内部構成を示す構成ブロック図である。
【図３】本発明の第１の実施形態に係る衛星電波腕時計が実現する機能を示す機能ブロック図である。
【図４】本発明の第１の実施形態に係る衛星電波腕時計に対して測位情報決定動作を指示する場合における、第１プッシュボタン、受信回路及び指針の動作を時間に沿って示す図である。
【図５】本発明の第１の実施形態に係る衛星電波腕時計の測位動作表示を示す平面図である。
【図６】本発明の第１の実施形態の変形例に係る衛星電波腕時計の外観を示す平面図である。
【図７】本発明の第１の実施形態に係る衛星電波腕時計における測位情報決定動作を示すフロー図である。
【図８】本発明の第１の実施形態に係る衛星電波腕時計に対して内部時刻修正動作を指示する場合における、第２プッシュボタン、受信回路及び指針の動作を時間に沿って示す図である。
【図９】本発明の第１の実施形態に係る衛星電波腕時計における内部時刻修正動作を示すフロー図である。
【図１０】本発明の第２の実施形態に係る衛星電波腕時計に対して測位情報決定動作を指示する場合における、第１プッシュボタン、受信回路及び指針の動作を時間に沿って示す図である。
【図１１】本発明の第２の実施形態に係る衛星電波腕時計における測位情報決定動作を示すフロー図である。
【発明を実施するための形態】
【００３１】
以下、本発明の実施の形態について、図面を参照しながら説明する。
【００３２】
［第１の実施形態］
図１は、本発明の第１の実施形態に係る衛星電波腕時計１の外観の一例を示す平面図である。同図には、衛星電波腕時計１の外装（時計ケース）である胴内に配置された文字板２と、時刻を示す指針である時針２ａ、分針２ｂ、秒針２ｃが示されている。また、胴の側面には、衛星電波腕時計１のユーザが種々の操作を行うための操作部６０である竜頭６０ａ、第１プッシュボタン６０ｂ及び第２プッシュボタン６０ｃが配置されている。ここで、竜頭６０ａは３時側に配置され、第１プッシュボタン６０ｂは２時側に配置され、第２プッシュボタン６０ｃは４時側に配置されている。
【００３３】
衛星電波腕時計１には、文字板２を覆うようにガラス等の透明材料により形成された風防が胴に取り付けられている。また、風防の反対側においては裏蓋が胴に取り付けられている。本明細書では、以降、衛星電波腕時計１の風防が配置される方向（図１における紙面手前方向）を表側、裏蓋が配置される方向（図１における紙面奥方向）を裏側と呼ぶ。
【００３４】
文字板２の裏側には、太陽電池４３が配置され、表側から入光した光により発電がなされる。そのため、文字板２はある程度光線を透過する材質で形成される。太陽電池４３と重畳しない領域には、衛星電波を受信するためのパッチアンテナが配置される。パッチアンテナは、表側の面が衛星からの電波を受信する受信面となっている。パッチアンテナの受信面、太陽電池４３の受光面、文字板２は、互いに平行に設けられており、いずれも表側を向いている。なお、パッチアンテナに代えて、チップアンテナや逆Ｆアンテナを採用してもよい。
【００３５】
なお、本明細書では、衛星電波腕時計という用語を、腕時計であって、かつ、ＧＰＳ（Global Positioning System）衛星などの日付や時刻に関する情報（時刻情報）を送信する衛星から当該衛星信号を受信し、それに含まれる時刻情報に基づき、腕時計内部に保持している時刻の情報である内部時刻を修正する機能を有している腕時計を指すものとして用いる。但し、本発明は衛星電波腕時計に限らず、腕時計ではない小型の時計、例えば懐中時計に適用することもできる。また、衛星電波腕時計は、衛星信号に含まれる軌道情報も併せて受信する。なお、衛星電波腕時計が受信する衛星信号を発信する衛星は、ＧＰＳ衛星以外に運用され、又は将来的に運用が計画されている衛星、例えば、グロナス、ガリレオ、コンパス（北斗）等であってもよい。
【００３６】
ＧＰＳ衛星から送信される衛星電波は、周波数約１．６ＧＨｚの搬送波（Ｌ１帯の電波）を位相偏位変調により変調した電波である。衛星電波に符号化される信号は、各ＧＰＳ衛星に固有の擬似乱数（Pseudo Random Number、ＰＲＮ）と、時刻情報を含む衛星信号とを重畳した信号である。衛星電波腕時計１は、複数の衛星から送信される複数の衛星電波を受信して、いずれの衛星のＰＲＮとの相関が大きいかを判定することにより、受信された複数の衛星電波それぞれが、いずれの衛星から送信されたものであるかを判別する。本明細書では、このような衛星の判別処理を衛星電波の追尾と呼ぶ。衛星信号には時刻情報が含まれ、時刻情報は、週の始まり（日曜日の午前０：００）を起点とした現在時刻を示すＴＯＷ（Time Of Week）と、所定の基準時点から数えて現在が第何週かを示す週番号ＷＮと、を含む。そのため、衛星電波腕時計１は、場合によって、ＴＯＷだけを受信することもあれば、ＴＯＷと週番号ＷＮとを併せて受信することもある。また、ＧＰＳ時刻は、協定世界時に対して閏秒に起因するずれがあるため、ＧＰＳ衛星は、このずれを補正するための閏秒情報も送信している。そのため、時刻情報には、閏秒情報も含まれる。さらに、衛星信号には軌道情報が含まれる。軌道情報は、全衛星の位置情報であるアルマナックと、各衛星の位置情報であるエフェメリスと、を含む。衛星電波腕時計１は、受信した軌道情報及び時刻情報に基づいて、上空を周回する複数のＧＰＳ衛星からの距離を算出し、現在位置の緯度、経度及び高度を算出する。また、衛星電波腕時計１は、受信した軌道情報をＲＡＭ３３に記憶し、記憶された軌道情報及び受信した時刻情報に基づいて現在位置の緯度、経度及び高度を算出する。
【００３７】
図１に示す衛星電波腕時計１の例では、文字板２の周囲に、「ＯＫ」の文字である受信成功文字３と、「ＮＧ」の文字である受信失敗文字４と、「ＲＸ−ＧＰＳ」の文字である測位文字５と、「ＲＸ−ＴＭＥ」の文字である測時文字６とが表されている。受信成功文字３と受信失敗文字４は、秒針２ｃを用いて、衛星電波腕時計１による受信処理の結果の成否を指し示すためのインデックスである。また、測時文字６は、衛星電波腕時計１により内部時刻修正動作が行われる場合に、秒針２ｃを用いて、内部時刻修正動作表示を行うためのインデックスである。ここで、内部時刻修正動作は、衛星電波に含まれる時刻情報に基づいて、衛星電波腕時計１の内部時刻を修正する動作である。また、測位文字５は、衛星電波腕時計１により測位情報決定動作が行われる場合に、秒針２ｃを用いて、測位動作表示を行うためのインデックスである。ここで、測位情報決定動作は、衛星電波に含まれる時刻情報と、衛星電波に含まれる軌道情報又は後述するＲＡＭ３３に予め記憶された軌道情報と、に基づいて、タイムゾーンを含む測位情報を決定する動作である。測位情報は、現在位置の緯度及び経度に関する情報、現在位置を代表する都市名並びにサマータイムといった情報を含む。
【００３８】
本実施形態に係る衛星電波腕時計１の文字板２の周囲には、「ＬＯＮ  ０」の文字である第１都市７ａ、「ＴＹＯ  ＋９」の文字である第２都市７ｂ及び「ＮＹＣ  −５」の文字である第３都市７ｃが表されている。第１都市７ａは、世界協定時のタイムゾーン（ＵＴＣ＋０）に属するロンドンを表している。第２都市７ｂは、世界協定時から９時間進んだタイムゾーン（ＵＴＣ＋９）に属する東京を表している。また、第３都市７ｃは、世界協定時から５時間遅れたタイムゾーン（ＵＴＣ−５）に属するニューヨークを表している。本実施形態に係る衛星電波腕時計１は、測位情報決定動作により決定された測位情報（都市名及びタイムゾーン）を秒針２ｃにより指し示す。なお、本実施形態では、第１都市７ａ等によって都市名及びタイムゾーンを表示しているが、都市名及びタイムゾーンのどちらか一方を表示することとしてもよい。
【００３９】
指針である秒針２ｃは、通常の計時動作の際には秒を刻む指針であるが、衛星電波の受信結果を表示したり、都市名等の地域情報を表示したりといった複数種類の情報の表示に割り当てられる。本明細書において、地域情報とは、衛星電波に含まれる時刻情報に基づいて決定された測位情報の他、ユーザが手動で設定した現在位置に関する情報を含む情報である。ここで、測位情報には、ユーザが手動で設定した現在位置に関する情報は含まれない。
【００４０】
衛星電波腕時計１のユーザは、第１プッシュボタン６０ｂを数秒間長押しする操作によって、測位動作を指示する。また、第２プッシュボタン６０ｃを数秒間長押しする操作によって内部時刻修正動作を指示する。この場合、第１プッシュボタン６０ｂ又は第２プッシュボタン６０ｃを押下することにより、例えば秒を刻んでいた秒針２ｃが一時的に通常の計時動作を離れ、測位文字５又は測時文字６を指し示す。
【００４１】
本実施形態に係る衛星電波腕時計１の文字板２の６時側には、「ＬＯＷ」の文字である第１光量表示文字８ａ及び「ＨＩＧＨ」の文字である第２光量表示文字８ｂが表されている。一般に、衛星電波の電波強度は、屋内よりも屋外の方が強い場合が多く、屋外は屋内よりも明るい場合が多い。そのため、本実施形態に係る衛星電波腕時計１では、パッチアンテナの受信面に照射される光の光量を秒針２ｃにより指し示すことで、ユーザが衛星電波の受信に適した環境にいるか否かを表す。
【００４２】
なお、衛星電波腕時計１に対して衛星信号の受信処理の実行を指示する方法は上記に限られない。例えば、第１プッシュボタン６０ｂを連続して二度押下することによって測位動作を実行することとしてもよい。あるいは、第１プッシュボタン６０ｂ及び第２プッシュボタン６０ｃ以外を用いた操作、例えば、竜頭６０ａの操作によって測位動作又は内部時刻修正動作の指示を行ってもよい。また、衛星電波腕時計にタッチセンサーを設けて当該タッチセンサーの操作によって行ってもよい。その他、光又は磁気を用いた方法により衛星信号の受信処理を指示することとしてもよい。
【００４３】
図１に示した衛星電波腕時計１のデザインは一例である。ここで示したもの以外にも、例えば、胴を丸型でなく角型にしてもよいし、竜頭６０ａ等の有無、数、配置は任意である。また、本実施形態では、指針を時針２ａ、分針２ｂ、秒針２ｃの３本としているが、これに限定されず、秒針２ｃを省略しても、あるいは、曜日、サマータイムの有無、電波の受信状態や電池の残量、各種の表示を行う指針や、日付表示等を追加したりしてもよい。
【００４４】
図２は、衛星電波腕時計１の内部構成を示す構成ブロック図である。同図に示されるように、衛星電波腕時計１は、アンテナ１０と、受信回路２０と、制御回路３０と、二次電池４０と、スイッチ４２と、太陽電池４３と、駆動機構５０と、時刻表示部５１と、操作部６０と、を含んで構成される。
【００４５】
アンテナ１０は、時刻情報を含んだ電波として、衛星から送信される衛星電波を受信する。特に本実施形態では、アンテナ１０は、ＧＰＳ衛星から送信される衛星電波を受信するパッチアンテナである。
【００４６】
受信回路２０は、アンテナ１０によって受信された衛星電波を復号して、復号の結果得られる衛星信号の内容を示すビット列（受信データ）を出力する。具体的に、受信回路２０は、高周波回路（ＲＦ回路）２１及びデコード回路２２を含んで構成されている。アンテナ１０及び受信回路２０は、時刻情報を含む衛星電波を受信する受信部である。
【００４７】
高周波回路２１は、高周波数で動作する集積回路であって、アンテナ１０が受信したアナログ信号に対して増幅、検波を行って、ベースバンド信号に変換する。デコード回路２２は、ベースバンド処理を行う集積回路であって、高周波回路２１が出力するベースバンド信号を復号してＧＰＳ衛星から受信したデータの内容を示すビット列を生成し、制御回路３０に対して出力する。
【００４８】
制御回路３０は、マイクロコンピュータ等の情報処理装置であって、演算部３１と、ＲＯＭ（Read Only Memory）３２と、ＲＡＭ（Random Access Memory）３３と、ＲＴＣ（Real Time Clock）３４と、モータ駆動回路３５と、を含んで構成される。
【００４９】
演算部３１は、ＲＯＭ３２に格納されたプログラムに従って各種の情報処理を行う。本実施形態において演算部３１が実行する処理の詳細については、後述する。ＲＡＭ３３は、演算部３１のワークメモリとして機能し、演算部３１の処理対象となるデータが書き込まれる。特に本実施形態では、受信回路２０によって受信された衛星信号の内容を表すビット列（受信データ）が、ＲＡＭ３３内のバッファ領域に順次書き込まれる。ＲＴＣ３４は、衛星電波腕時計１内部での計時に使用されるクロック信号を供給する。本実施形態に係る衛星電波腕時計１では、演算部３１が、ＲＴＣ３４から供給される信号によって計時された内部時刻を、受信回路２０によって受信された衛星信号に基づいて修正して、時刻表示部５１に表示すべき時刻（表示時刻）を決定する。さらに、モータ駆動回路３５が、この決定された表示時刻に応じて、後述する駆動機構５０に含まれるモータを駆動する駆動信号を出力する。これにより、制御回路３０によって生成された表示時刻が時刻表示部５１に表示される。
【００５０】
二次電池４０は、リチウムイオン電池等であって、太陽電池４３によって発電された電力を蓄積する。そして、蓄積された電力を、受信回路２０や制御回路３０に対して供給する。二次電池４０から受信回路２０への電力供給路の途中にはスイッチ４２が設けられており、このスイッチ４２のオン／オフは制御回路３０が出力する制御信号によって切り替えられる。制御回路３０がスイッチ４２のオン／オフを切り替えることで、受信回路２０の動作タイミングが制御される。受信回路２０は、スイッチ４２を介して二次電池４０から電力が供給されている間だけ動作し、その間にアンテナ１０が受信した衛星電波の復号を行う。
【００５１】
太陽電池４３は、文字板２の裏側に配置されており、衛星電波腕時計１に対して照射される太陽光などの外光によって発電し、発電した電力を二次電池４０に供給する。
【００５２】
駆動機構５０は、前述したモータ駆動回路３５から出力される駆動信号に応じて動作するステップモータと、輪列と、を含んで構成され、ステップモータの回転を輪列が伝達することによって、秒針２ｃ等の指針を回転させる。時刻表示部５１は、指針及び文字板２によって構成される。指針は、時針２ａ、分針２ｂ及び秒針２ｃからなり、これらの指針が文字板２上を回転することによって、現在時刻が表示される。後述するように、指針は、複数種類の情報の表示に割り当てられる。
【００５３】
操作部６０は、竜頭６０ａ、第１プッシュボタン６０ｂ及び第２プッシュボタン６０ｃであって、衛星電波腕時計１のユーザによる操作を受け付けて、その操作内容を制御回路３０に対して出力する。制御回路３０は、操作部６０が受け付けた操作入力の内容に応じて各種の処理を実行する。特に本実施形態では、制御回路３０は、ユーザによる操作部６０に対する操作入力に応じて、衛星信号の受信処理を行う。
【００５４】
以下、本実施形態において制御回路３０の演算部３１が実行する処理の具体例について説明する。図３に示すように、演算部３１は、ＲＯＭ３２に格納されたプログラムを実行することにより、機能的に、動作指示部３１０と、測位情報表示制限部３１１と、動作表示部３１２と、測位情報決定部３１３と、測位情報表示部３１４と、内部時刻修正部３１５と、受信結果表示部３１６と、過去表示情報表示部３１７とを実現する。
【００５５】
動作指示部３１０は、時刻情報に基づいて、内部時刻を修正する内部時刻修正動作と、時刻情報に基づいて、測位情報を決定する測位情報決定動作と、の少なくともいずれかを指示する。動作指示部３１０は、時刻修正指示部材である第２プッシュボタン６０ｃ及び測位指示部材である第１プッシュボタン６０ｂを含む操作部６０により、ユーザから指示を受け付ける。動作指示部３１０は、操作部６０のうち第１プッシュボタン６０ｂが長押しされる場合に、測位情報決定動作を指示し、第２プッシュボタン６０ｃが長押しされる場合に、内部時刻修正動作を指示する。
【００５６】
測位情報表示制限部３１１は、受信回路２０による衛星電波の受信が、衛星電波腕時計１のユーザの指示に基づかないものである場合に、測位情報表示部３１４による測位情報の表示を制限する。測位情報表示制限部３１１は、併せて、動作表示部３１２による動作表示、受信結果表示部３１６による受信結果の表示、過去表示情報表示部３１７による過去表示情報の表示を制限してもよい。
【００５７】
動作表示部３１２は、指針である秒針２ｃにより、動作指示部３１０からの内部時刻修正動作の指示に基づいて、時刻修正動作表示を行わせる。時刻修正動作表示は、動作表示部３１２に含まれる時刻修正動作表示部３１２ａにより、指針である秒針２ｃが測時文字６を指し示すことで行われる。また、動作表示部３１２は、指針である秒針２ｃにより、動作指示部３１０からの測位情報決定動作の指示に基づいて、測位動作表示を行わせる。測位動作表示は、動作表示部３１２に含まれる測位動作表示部３１２ｂにより、指針である秒針２ｃが測位文字５を指し示すことで行われる。
【００５８】
測位情報決定部３１３は、受信回路２０により受信された時刻情報及び軌道情報に基づいて、タイムゾーンを含む測位情報を決定する。測位情報表示部３１４は、衛星電波の受信後に、測位情報決定部３１３により決定された測位情報を指針である秒針２ｃにより指し示す。
【００５９】
内部時刻修正部３１５は、受信回路２０により受信された時刻情報に基づいて、内部時刻を修正する。受信結果表示部３１６は、受信回路２０により時刻情報が正しく受信されたか否かを表す受信結果を表示する。受信結果表示部３１６は、秒針２ｃにより、受信成功文字３又は受信失敗文字４を指し示すことで、受信結果を表示する。
【００６０】
過去表示情報表示部３１７は、少なくとも測位情報表示部３１４による測位情報の表示の前に、過去表示情報を指針である秒針２ｃにより表示させる。ここで、過去表示情報とは、衛星電波腕時計１の状態に関して過去に表示された情報である。過去表示情報として、例えば、現在設定されているタイムゾーンや当該タイムゾーンを代表する都市名等の地域情報、過去の受信結果等を挙げることができる。
【００６１】
過去表示情報表示部３１７は、前回受信結果表示部３１７ａと、追加情報表示部３１７ｂと、地域情報表示部３１７ｄとを含む。前回受信結果表示部３１７ａは、内部時刻修正動作が行われる場合に、秒針２ｃにより受信成功文字３又は受信失敗文字４を指し示すことにより、前回受信結果を表示する。また、追加情報表示部３１７ｂは、地域情報と異なる追加情報を表示する。ここで、追加情報とは、過去表示情報に含まれる情報であって、地域情報と異なる情報である。本実施形態に係る衛星電波腕時計１において、追加情報は、受信部（パッチアンテナ）の受信面に照射される光の光量を表す情報を含む。光量は、光量表示部３１７ｃにより表示される。地域情報表示部３１７ｄは、少なくとも、過去表示情報として地域情報を表示する。
【００６２】
動作表示部３１２と、測位情報表示部３１４と、受信結果表示部３１６と、過去表示情報表示部３１７とは、モータ駆動回路３５を制御することで、指針である秒針２ｃにより情報を表示させる。
【００６３】
［測位情報決定動作］
図４は、本発明の第１の実施形態に係る衛星電波腕時計１に対して測位情報決定動作を指示する場合における、第１プッシュボタン６０ｂ（ＰＢ１）、受信回路２０及び指針（秒針２ｃ）の動作を時間に沿って示す図である。
【００６４】
時刻ｔ０に第１プッシュボタン６０ｂが押下され、時刻ｔ１まで長押しが継続されると、過去表示情報表示部３１７の地域情報表示部３１７ｄは、秒針２ｃにより、例えば第１都市７ａを指し示す等して、過去表示情報として地域情報である現在設定都市の表示を行う。現在設定都市は、過去に測位情報決定部３１３により決定された測位情報に含まれる都市であるか、又は過去にユーザにより設定された都市である。現在設定都市の表示は、地域情報の表示であって、受信回路２０が起動される前に行われる。このような構成を採用することで、ユーザは、現在設定都市を確認した後、第１プッシュボタン６０ｂの押下を解除することで、受信回路２０の起動に伴う電力消費を発生させずに現在設定都市を確認することができる。そのため、ユーザは、消費電力を抑えつつ、過去に行われた操作や設定の履歴を知ることができる。なお、地域情報表示部３１７ｄによる地域情報の表示（現在設定都市の表示）は、第１プッシュボタン６０ｂが押下された時刻ｔ０から始めてもよい。その場合、衛星電波腕時計１のユーザは、現在設定されているタイムゾーンを待ち時間無く確認することができる。
【００６５】
第１プッシュボタン６０ｂが時刻ｔ２まで長押しされると、受信回路２０が起動して衛星電波の追尾を行う準備が始まる。この際、動作指示部３１０は、測位情報決定部３１３に対して、測位情報決定動作を指示する。また、動作指示部３１０は、測位動作表示部３１２ｂに対して、測位動作の表示を指示する。
【００６６】
受信回路２０が起動した後、時刻ｔ３から受信回路２０による衛星電波の受信が始まる。ここで、測位動作表示部３１２ｂは、秒針２ｃを動かし、測位文字５を指し示すことで測位動作が行われていることを表示する。ここで、測位文字５は、測位指示部材（第１プッシュボタン６０ｂ）と同じ方向に配置されているため、秒針２ｃは、第１プッシュボタン６０ｂを向くことになる。図１に示す本実施形態に係る衛星電波腕時計１の場合、測位文字５及び第１プッシュボタン６０ｂは、２時の方向に配置されており、測位動作表示部３１２ｂは、測位動作表示の際に、秒針２ｃを２時方向に向かせる。
【００６７】
図５は、本発明の第１の実施形態に係る衛星電波腕時計１の測位動作表示を示す平面図である。同図では、第１プッシュボタン６０ｂの中心線と、秒針２ｃの中心線と、第２プッシュボタン６０ｃの中心線とを一点鎖線で表している。測位動作表示部３１２ｂによる測位動作の表示の際、秒針２ｃは、測位文字５を指し示す。ここで、秒針２ｃの中心線は、必ずしも第１プッシュボタン６０ｂの中心線に一致しなくてもよい。秒針２ｃが第１プッシュボタン６０ｂを向くとは、秒針２ｃの中心線と第１プッシュボタン６０ｂの中心線との間の角度θ１が、秒針２ｃの中心線と第２プッシュボタン６０ｃの中心線との間の角度θ２よりも小さいことを意味する。
【００６８】
本実施形態に係る衛星電波腕時計１では、測位文字５と測位情報決定動作を指示する測位指示部材（第１プッシュボタン６０ｂ）とが同じ方向に配置されて一対一に対応しており、操作方法が直感的に把握できる。また、測位動作の際に、秒針２ｃが測位文字５及び測位指示部材（第１プッシュボタン６０ｂ）の方向を向くことで、測位動作が行われていることを視覚的に把握できる。また、後述する内部時刻修正動作を指示する場合には、秒針２ｃにより測時文字６が指し示され、内部時刻修正動作及び測位情報決定動作のいずれを指示したかが、視覚的に把握できる。
【００６９】
なお、本実施形態では、測位文字５及び第１プッシュボタン６０ｂを２時の方向に配置し、測時文字６及び第２プッシュボタン６０ｃを４時の方向に配置することで、操作内容と指示部材とが一対一に対応するようにしているが、これ以外の構成を採用することとしてもよい。図６は、本発明の第１の実施形態の変形例に係る衛星電波腕時計１の外観を示す平面図である。変形例では、測位文字５及び第１プッシュボタン６０ｂを２時の方向に配置し、第２プッシュボタン６０ｃを４時の方向に配置し、測時文字６を１０時の方向に配置している。同図では、第２プッシュボタン６０ｃの中心線を一点鎖線で表している。本変形例において、測時文字６は、第２プッシュボタン６０ｃの中心線の延長線上に配置される。このような構成を採用する場合であっても、測時文字６と第２プッシュボタン６０ｃとが、第２プッシュボタン６０ｃの中心線の延長線上に配置されることで、操作内容と指示部材とが一対一に対応することとなり、操作方法が直感的に把握できる。
【００７０】
すなわち、指針である秒針２ｃは、時刻修正動作表示の際に、指針の軸に関して時刻修正指示部材（第２プッシュボタン６０ｃ）と反対を向き、測位動作表示の際に、測位指示部材（第１プッシュボタン６０ｂ）を向いてもよい。当然ながら、指針は、時刻修正動作表示の際に、時刻修正指示部材を向き、測位動作表示の際に、指針の軸に関して測位指示部材と反対を向いてもよい。また、指針は、時刻修正動作表示の際に、指針の軸に関して時刻修正指示部材と反対を向き、測位動作表示の際に、指針の軸に関して測位指示部材と反対を向いてもよい。
【００７１】
図４に戻り、受信回路２０により衛星電波の受信が開始された後の処理について説明する。衛星電波の受信が行われている間、秒針２ｃは測位文字５を指し示したまま動かず、時刻ｔ４に受信が終了すると、秒針２ｃは、測位都市表示を行う。測位都市は、測位情報決定部３１３により決定された測位情報である。測位情報表示部３１４は、測位都市を秒針２ｃにより指し示す。例えば、測位情報決定部３１３により決定された現在位置の緯度及び経度がＵＴＣ−５のタイムゾーンに属する位置を表す場合、測位情報表示部３１４は、第３都市７ｃを指し示して、現在位置のタイムゾーンを表示すると共に、当該タイムゾーンの代表都市がニューヨークであることを表示する。なお、測位情報表示部３１４は、併せてサマータイムの情報を表示してもよい。その後、時刻ｔ５に、秒針２ｃは通常の時刻表示に復帰する。
【００７２】
仮に、受信回路２０により衛星電波の受信を一定時間試みたものの、衛星電波の受信に失敗した場合、秒針２ｃによって受信失敗文字４を指し示すこととしてもよい。受信失敗文字４の表示を確認することで、衛星電波の受信に失敗したこと、ひいては測位情報の決定が行われなかったことを容易に確認することができる。
【００７３】
また、時刻ｔ１から時刻ｔ３の間に行われる現在設定都市表示の時間ｔ３−ｔ１と、時刻ｔ４から時刻ｔ５の間に行われる測位都市表示の時間ｔ５−ｔ４とは、（ｔ３−ｔ１）＞（ｔ５−ｔ４）の関係にあることが望ましい。このような構成を採用することで、衛星電波腕時計１のユーザは、余裕をもって現在設定都市の確認が行え、衛星電波の受信後すぐに現在時刻を確認することができる。
【００７４】
本実施形態に係る衛星電波腕時計１によれば、衛星電波の受信後にタイムゾーンや都市を含む測位情報が表示され、ユーザは、タイムゾーンが修正されたことや、修正後のタイムゾーンが正しく設定されたことを確認できる。また、ユーザは、測位動作によってタイムゾーンが変化したか否かを視覚的に把握することができる。また、測位情報の表示に秒針２ｃ等の複数種類の情報の表示に割り当てられる指針を用いることで、測位動作表示専用の副針を設けることなく、ユーザに測位情報を示すことができる。
【００７５】
衛星電波腕時計１では、ユーザにより第１プッシュボタン６０ｂが長押しされることにより測位情報決定動作が指示される他、所定時刻になると受信を開始する、いわゆる定時受信等の自動受信によって測位情報決定動作が行われてもよい。その場合、ユーザは必ずしも文字板２を視認するとは限らないため、測位情報表示制限部３１１は、測位情報表示部３１４による測位情報の表示を制限する。また、測位情報表示部３１４は、併せて、動作表示部３１２による動作表示、受信結果表示部３１６による受信結果の表示、過去表示情報表示部３１７による過去表示情報の表示を制限してもよい。このような構成を採用することにより、衛星電波の自動受信が行われる場合に、消費電力が低減される。
【００７６】
図７は、本発明の第１の実施形態に係る衛星電波腕時計１における測位情報決定動作を示すフロー図である。はじめに、第１プッシュボタン６０ｂ（ＰＢ１）が押下されたか否かが判定される（Ｓ１）。第１プッシュボタン６０ｂが押下されなければ測位情報決定動作は指示されず、処理は終了する。
【００７７】
第１プッシュボタン６０ｂが押下された場合であって、押下状態が一定時間維持され、時刻ｔ０を基準として時間ｔ１経過した場合（Ｓ２）、過去表示情報表示部３１７の地域情報表示部３１７ｄは、秒針２ｃにより第１都市７ａ等を指し示すことによって、地域情報である現在設定都市を表示する（Ｓ３）。なお、第１プッシュボタン６０ｂの押下状態が時間ｔ１だけ維持されなかった場合（Ｓ２）、第１プッシュボタン６０ｂが押下されているか否かの判定が行われ（Ｓ１）、押下されていなければ処理が終了し、通常の計時動作に復帰する。
【００７８】
その後、第１プッシュボタン６０ｂの押下状態が時間ｔ２だけ維持された場合（Ｓ４）、受信回路２０が起動し、衛星電波の追尾の準備が行われる（Ｓ５）。また、第１プッシュボタン６０ｂの押下状態が時間ｔ２だけ維持されなかった場合（Ｓ４）、第１プッシュボタン６０ｂが押下されているか否かの判定が行われ（Ｓ１）、押下されていなければ処理が終了し、通常の計時動作に復帰する。なお、第１プッシュボタン６０ｂの押下状態が時間ｔ２だけ維持されず（Ｓ４）、第１プッシュボタン６０ｂが押下されていない場合であっても（Ｓ１）、一定時間経過するまで現在都市表示を維持してユーザに現在設定都市を確認する時間的余裕を与え、その後通常の計時動作に復帰することとしてもよい。この場合、現在都市表示が維持される一定時間を、測位都市表示が行われる時間（ｔ５−ｔ４）よりも長くすることで、余裕をもって現在設定都市の確認が行え、衛星電波の受信後すぐに現在時刻が確認できるようにすることができる。また、第１プッシュボタン６０ｂの押下状態が時間ｔ２だけ維持されず（Ｓ４）、第１プッシュボタン６０ｂの押下が解除され（Ｓ１）、現在設定都市表示を維持する場合であっても、操作部６０の操作（例えば第１プッシュボタン６０ｂの再度の押下）によって、一定時間の経過を待たずに通常の計時動作に復帰することとしてもよい。
【００７９】
受信回路２０が起動し、時間ｔ３だけ経過した時に、測位動作表示部３１２ｂは、秒針２ｃにより測位文字５を指し示すことによって、測位動作表示を行う（Ｓ６）。そして、受信回路２０によって衛星電波の受信が行われる（Ｓ７）。
【００８０】
時間ｔ４だけ経過し、衛星電波の受信が終了した場合、測位情報表示部３１４は、秒針２ｃにより第１都市７ａ等を指し示して、測位情報決定部３１３により決定された測位情報に含まれるタイムゾーン及び都市を表示する（Ｓ８）。その後、時間ｔ５だけ経過した場合に、秒針２ｃは通常の計時動作に復帰して、時刻表示が行われる（Ｓ９）。なお、タイムゾーン及び都市の表示がされている間（Ｓ８）、操作部６０の操作（例えば第１プッシュボタン６０ｂの再度の押下）によって、一定時間の経過を待たずに通常の計時動作に復帰することとしてもよい。
【００８１】
［内部時刻修正動作］
図８は、本発明の第１の実施形態に係る衛星電波腕時計１に対して内部時刻修正動作を指示する場合における、第２プッシュボタン６０ｃ（ＰＢ２）、受信回路２０及び指針（秒針２ｃ）の動作を時間に沿って示す図である。内部時刻修正動作では、タイムゾーンの修正を伴わない内部時刻の修正が行われる。
【００８２】
本実施形態に係る衛星電波腕時計１では、時刻ｔ０に第２プッシュボタン６０ｃが押下され、時刻ｔ１まで長押しされると、過去表示情報表示部３１７に含まれる前回受信結果表示部３１７ａにより、前回受信結果が表示される。具体的には、秒針２ｃにより受信成功文字３又は受信失敗文字４を指し示すことで、前回受信結果が表示される。これにより、衛星電波腕時計１のユーザは、衛星電波の受信に先立って前回受信の成否を知ることができ、衛星電波の受信を行う必要があるか否かを判断するための判断材料とすることができる。なお、前回受信結果表示部３１７ａによる前回受信結果の表示は、第２プッシュボタン６０ｃが押下された時刻ｔ０から始めてもよい。その場合、衛星電波腕時計１のユーザは、前回受信結果を待ち時間無く確認することができる。
【００８３】
ここで、内部時刻修正動作において秒針２ｃにより受信失敗文字４を指し示す場合、「ＮＧ」の文字の一方の文字（例えば「Ｇ」の文字）を指し示すこととしてもよい。一方、測位情報決定動作において秒針２ｃにより受信失敗文字４を指し示す場合、「ＮＧ」の文字の他方の文字（この場合「Ｎ」の文字）を指し示すこととしてもよい。このように、測位情報決定動作と内部時刻修正動作とで、受信失敗文字４を指し示す態様を変えることで、衛星電波腕時計１のユーザは、いずれの動作における受信失敗を表示しているのかを容易に確認することができる。
【００８４】
第２プッシュボタン６０ｃが時刻ｔ２まで長押しされると、受信回路２０が起動して衛星電波の追尾を行う準備が始まる。この際、動作指示部３１０は、内部時刻修正部３１５に対して、内部時刻修正動作を指示する。また、動作指示部３１０は、時刻修正動作表示部３１２ａに対して、時刻修正動作表示を指示する。
【００８５】
受信回路２０が起動した後、時刻ｔ３から受信回路２０による衛星電波の受信が始まる。ここで、時刻修正動作表示部３１２ａは、受信に先立ち、秒針２ｃを動かし、測時文字６を指し示すことで内部時刻修正動作が行われていることを表示する。ここで、測時文字６は、時刻修正指示部材（第２プッシュボタン６０ｃ）と同じ方向に配置されているため、秒針２ｃは、第２プッシュボタン６０ｃを向くことになる。図１に示す衛星電波腕時計１の場合、測時文字６及び第２プッシュボタン６０ｃは、４時の方向に配置されており、時刻修正動作表示部３１２ａは、時刻修正動作表示の際に、秒針２ｃを４時方向に向かせる。
【００８６】
時刻修正動作表示部３１２ａによる時刻修正動作表示の際、秒針２ｃの中心線は、必ずしも第２プッシュボタン６０ｃの中心線に一致しなくてもよい。秒針２ｃが第２プッシュボタン６０ｃを向くとは、秒針２ｃの中心線と第２プッシュボタン６０ｃの中心線との間の角度が、秒針２ｃの中心線と第１プッシュボタン６０ｂの中心線との間の角度よりも小さいことを意味する。
【００８７】
本実施形態に係る衛星電波腕時計１では、測時文字６と内部時刻修正動作を指示する時刻修正指示部材（第２プッシュボタン６０ｃ）とが同じ方向に配置されており、操作方法が直感的に把握できる。また、内部時刻修正動作の際に、秒針２ｃが測時文字６及び時刻修正指示部材（第２プッシュボタン６０ｃ）の方向を向くことで、内部時刻修正動作が行われていることを視覚的に把握できる。また、内部時刻修正動作及び測位情報決定動作のいずれを指示したかが、視覚的に把握できる。
【００８８】
衛星電波の受信が行われている間、秒針２ｃは測時文字６を指し示したまま動かず、時刻ｔ４に受信が終了すると、受信結果表示部３１６は、受信成功文字３又は受信失敗文字４を秒針２ｃにより指し示すことで、受信結果表示を行う。その後、時刻ｔ５に、秒針２ｃは内部時刻修正部３１５により修正された内部時刻に従い、時刻表示に復帰する。
【００８９】
ここで、時刻ｔ１から時刻ｔ３の間に行われる前回受信結果表示の時間ｔ３−ｔ１と、時刻ｔ４から時刻ｔ５の間に行われる受信結果表示の時間ｔ５−ｔ４とは、（ｔ３−ｔ１）＞（ｔ５−ｔ４）の関係にあることが望ましい。このような構成を採用することで、衛星電波腕時計１のユーザは、余裕をもって前回受信結果の確認が行え、衛星電波の受信後すぐに現在時刻を確認することができる。
【００９０】
本実施形態に係る衛星電波腕時計１によれば、内部時刻修正動作において表示される過去表示情報が測位情報決定動作において表示される情報と異なり、内部時刻修正動作及び測位情報決定動作のいずれを指示したかを視覚的に把握することができる。
【００９１】
図９は、本発明の第１の実施形態に係る衛星電波腕時計１における内部時刻修正動作を示すフロー図である。はじめに、第２プッシュボタン６０ｃ（ＰＢ２）が押下されたか否かが判定される（Ｓ４０）。第２プッシュボタン６０ｃが押下されなければ内部時刻修正動作は指示されず、処理は終了する。
【００９２】
第２プッシュボタン６０ｃが押下された場合であって、押下状態が一定時間維持され、時刻ｔ０を基準として時間ｔ１経過した場合（Ｓ４１）、過去表示情報表示部３１７は、秒針２ｃにより受信成功文字３等を指し示すことによって、前回受信結果を表示する（Ｓ４２）。なお、第２プッシュボタン６０ｃの押下状態が時間ｔ１だけ維持されなかった場合（Ｓ４１）、第２プッシュボタン６０ｃが押下されているか否かの判定が行われ（Ｓ４０）、押下されていなければ処理が終了し、通常の計時動作に復帰する。
【００９３】
その後、第２プッシュボタン６０ｃの押下状態が時間ｔ２だけ維持された場合（Ｓ４３）、受信回路２０が起動し、衛星電波の追尾の準備が行われる（Ｓ４４）。また、第２プッシュボタン６０ｃの押下状態が時間ｔ２だけ維持されなかった場合（Ｓ４３）、第２プッシュボタン６０ｃが押下されているか否かの判定が行われ（Ｓ４０）、押下されていなければ処理が終了し、通常の計時動作に復帰する。なお、第２プッシュボタン６０ｃの押下状態が時間ｔ２だけ維持されず（Ｓ４３）、第２プッシュボタン６０ｃが押下されていない場合であっても（Ｓ４０）、一定時間経過するまで前回受信結果表示を維持してユーザに前回受信結果を確認する時間的余裕を与え、その後通常の計時動作に復帰することとしてもよい。この場合、前回受信結果表示が維持される一定時間を、受信結果表示が行われる時間（ｔ５−ｔ４）よりも長くすることで、余裕をもって前回受信結果の確認が行え、衛星電波の受信後すぐに現在時刻が確認できるようにすることができる。また、第２プッシュボタン６０ｃの押下状態が時間ｔ２だけ維持されず（Ｓ４３）、第２プッシュボタン６０ｃの押下が解除され（Ｓ４０）、前回受信結果表示を維持する場合であっても、操作部６０の操作（例えば第２プッシュボタン６０ｃの再度の押下）によって、一定時間の経過を待たずに通常の計時動作に復帰することとしてもよい。
【００９４】
受信回路２０が起動し、時間ｔ３だけ経過した時に、時刻修正動作表示部３１２ａは、秒針２ｃにより測時文字６を指し示すことによって、時刻修正動作表示を行う（Ｓ４５）。そして、受信回路２０によって衛星電波の受信が行われる（Ｓ４６）。
【００９５】
時間ｔ４だけ経過し、衛星電波の受信が終了した場合、受信結果表示部３１６は、秒針２ｃにより受信成功文字３等を指し示して、受信結果を表示する（Ｓ４７）。その後、時間ｔ５だけ経過した場合に、秒針２ｃは通常の計時動作に復帰して、内部時刻修正部３１５により修正された内部時刻に従って、時刻表示が行われる（Ｓ４８）。
【００９６】
［第２の実施形態］
本発明の第２の実施形態に係る衛星電波腕時計１は、測位情報決定動作について第１の実施形態に係る衛星電波腕時計と異なり、内部時刻修正動作については第１の実施形態に係る衛星電波腕時計と同様の動作を行う。そのため、以下では、測位情報決定動作について説明する。図１０は、本発明の第２の実施形態に係る衛星電波腕時計１に対して測位情報決定動作を指示する場合における、第１プッシュボタン６０ｂ（ＰＢ１）、受信回路２０及び指針（秒針２ｃ）の動作を時間に沿って示す図である。第２の実施形態に係る衛星電波腕時計１における測位情報決定動作は、衛星電波の受信前の動作において、追加情報として、受信部（パッチアンテナ）の受信面に照射される光の光量を表示する点で第１の実施形態に係る衛星電波腕時計１における測位情報決定動作と異なる。一方、衛星電波の受信後の動作については、第１の実施形態に係る衛星電波腕時計１と同様の動作が行われる。また、第２の実施形態に係る衛星電波腕時計１の物理的構成は、第１の実施形態に係る衛星電波腕時計１と同様である。
【００９７】
本実施形態に係る衛星電波腕時計１では、時刻ｔ０に第１プッシュボタン６０ｂが押下され、時刻ｔ１まで長押しされると、過去表示情報表示部３１７の追加情報表示部３１７ｂに含まれる光量表示部３１７ｃにより、受信部（パッチアンテナ）の受信面に照射される光の光量を表す情報が表示される。なお、この光量の検出は、太陽電池４３の発電量に基づいて行ってもよい。具体的には、光量が十分に多く、衛星電波の受信が良好な環境で行えると判定される場合、秒針２ｃにより「ＨＩＧＨ」と表された第２光量表示文字８ｂを指し示し、光量が不足しており、衛星電波の受信が困難であると判定される場合、秒針２ｃにより「ＬＯＷ」と表された第１光量表示文字８ａを指し示す。中間的な光量である場合、秒針２ｃにより、第１光量表示文字８ａと第２光量表示文字８ｂの間を指し示す。これにより、衛星電波腕時計１のユーザに対して、衛星電波の電波強度が強い環境に居るか否かを判断するための指標を示すことができ、より電波強度の強い環境に移動するよう促すことができる。なお、光量表示部３１７ｃによる光量を表す情報の表示は、第１プッシュボタン６０ｂが押下された時刻ｔ０から始めてもよい。その場合、衛星電波腕時計１のユーザは、電波強度が強い環境に居るか否かを判断するための指標を待ち時間無く確認することができる。
【００９８】
第１プッシュボタン６０ｂの長押しが時刻ｔ２まで維持されると、動作指示部３１０は、測位情報決定動作を指示し、受信回路２０が起動される。その後、時刻ｔ３に、過去表示情報表示部３１７の地域情報表示部３１７ｄは、秒針２ｃにより第１都市７ａ等を指し示すことで、地域情報である現在設定都市を表示する。現在設定都市の表示は時刻ｔ４まで維持されるため、ユーザは、測位動作が行われる前に設定されている都市を確実に視認できる。
【００９９】
その後、時刻ｔ４に、測位動作表示部３１２ｂは、秒針２ｃを測位文字５に向けることで、測位動作表示を行い、受信回路２０による衛星電波の受信が行われる。時刻ｔ５に衛星電波の受信が終了すると、測位情報表示部３１４は、測位情報決定部３１３により決定された測位情報、すなわち現在位置のタイムゾーンと都市名を、秒針２ｃを第１都市７ａ等に向けることで表示する。測位都市表示は時刻ｔ６まで維持され、その後、秒針２ｃは通常の計時動作に復帰し、時刻表示が行われる。
【０１００】
ここで、時刻ｔ１から時刻ｔ３の間に行われる光量表示の時間ｔ３−ｔ１と、時刻ｔ５から時刻ｔ６の間に行われる測位都市表示の時間ｔ６−ｔ５とは、（ｔ３−ｔ１）＞（ｔ６−ｔ５）の関係にあることが望ましい。このような構成を採用することで、衛星電波腕時計１のユーザは、余裕をもって電波強度が強い環境に居るか否かを判断でき、衛星電波の受信後すぐに現在時刻を確認することができる。
【０１０１】
図１１は、本発明の第２の実施形態に係る衛星電波腕時計１における測位情報決定動作を示すフロー図である。はじめに、第１プッシュボタン６０ｂ（ＰＢ１）が押下されたか否かが判定される（Ｓ２０）。第１プッシュボタン６０ｂが押下されなければ測位情報決定動作は指示されず、処理は終了する。
【０１０２】
第１プッシュボタン６０ｂが押下された場合であって、押下状態が一定時間維持され、時刻ｔ０を基準として時間ｔ１経過した場合（Ｓ２１）、過去表示情報表示部３１７に含まれる光量表示部３１７ｃは、秒針２ｃにより第２光量表示文字８ｂ等を指し示すことによって、受信部の受信面に照射される光の光量を表示する（Ｓ２２）。なお、第１プッシュボタン６０ｂの押下状態が時間ｔ１だけ維持されなかった場合（Ｓ２１）、第１プッシュボタン６０ｂが押下されているか否かの判定が行われ（Ｓ２０）、押下されていなければ処理が終了し、通常の計時動作に復帰する。
【０１０３】
その後、第１プッシュボタン６０ｂの押下状態が時間ｔ２だけ維持された場合（Ｓ２３）、受信回路２０が起動し、衛星電波の追尾の準備が行われる（Ｓ２４）。また、第１プッシュボタン６０ｂの押下状態が時間ｔ２だけ維持されなかった場合（Ｓ２３）、第１プッシュボタン６０ｂが押下されているか否かの判定が行われ（Ｓ２０）、押下されていなければ処理が終了し、通常の計時動作に復帰する。なお、第１プッシュボタン６０ｂの押下状態が時間ｔ２だけ維持されず（Ｓ２３）、第１プッシュボタン６０ｂが押下されていない場合であっても（Ｓ２０）、一定時間経過するまで光量表示を維持してユーザに光量を確認する時間的余裕を与え、その後通常の計時動作に復帰することとしてもよい。この場合、光量表示が維持される一定時間を、測位都市表示が行われる時間（ｔ６−ｔ５）よりも長くすることで、余裕をもって電波強度が強い環境に居るか否かを判断することができ、衛星電波の受信後すぐに現在時刻が確認できるようにすることができる。また、第１プッシュボタン６０ｂの押下状態が時間ｔ２だけ維持されず（Ｓ２３）、第１プッシュボタン６０ｂの押下が解除され（Ｓ２０）、光量表示を維持する場合であっても、操作部６０の操作（例えば第１プッシュボタン６０ｂの再度の押下）によって、一定時間の経過を待たずに通常の計時動作に復帰することとしてもよい。
【０１０４】
受信回路２０が起動し、時間ｔ３だけ経過した時に、過去表示情報表示部３１７の地域情報表示部３１７ｄは、秒針２ｃにより第１都市７ａ等を指し示すことによって、地域情報である現在設定都市を表示する（Ｓ２５）。その後、時間ｔ４だけ経過した時に、測位動作表示部３１２ｂは、秒針２ｃにより測位文字５を指し示すことによって、測位動作表示を行う（Ｓ２６）。そして、受信回路２０によって衛星電波の受信が行われる（Ｓ２７）。
【０１０５】
時間ｔ５だけ経過し、衛星電波の受信が終了した場合、測位情報表示部３１４は、秒針２ｃにより第１都市７ａ等を指し示すことで、測位情報決定部３１３により決定された測位情報に含まれるタイムゾーン及び都市を表示する（Ｓ２８）。その後、時間ｔ６だけ経過した場合に、秒針２ｃは通常の計時動作に復帰して、時刻表示が行われる（Ｓ２９）。
【０１０６】
なお、本発明の実施形態は、以上説明したものに限られない。例えば以上の説明では、秒針２ｃにより測位情報を指し示すこととしたが、秒針以外の指針により測位情報を指し示すこととしてもよい。ここで、測位情報を指し示す指針は、衛星電波腕時計の通常動作時には他の情報の表示に割り当てられ、測位情報決定動作の際には測位情報を指し示す。また、内部時刻修正動作と測位情報決定動作とで、情報の表示に用いる指針を変えてもよい。
【０１０７】
また、以上の説明では、ＧＰＳ衛星からの衛星電波を受信することとしたが、ＧＰＳ衛星の衛星電波に加えて、他の衛星の衛星電波、例えばグロナスの衛星電波を併せて受信することとしてもよい。その場合、ＧＰＳ衛星による測位動作と、ＧＰＳ衛星及びグロナス衛星による測位動作とを、区別して指示できるようにしてもよい。例えば、第１プッシュボタン６０ｂを数秒間長押しする操作によってＧＰＳ衛星による測位動作を指示し、受信回路２０が起動して秒針２ｃにより測位文字５が指し示されている間に再度第１プッシュボタン６０ｂを押下すると、ＧＰＳ衛星及びグロナス衛星による測位動作を指示できるようにしてもよい。
【０１０８】
ここで、「ＲＸ−ＴＭＥ」の文字である測時文字６を２時の方向に配置して、「ＲＸ−ＧＰＳ」という文字である測位文字５をＧＰＳ衛星による測位動作を示す文字として４時の方向に配置し、さらに、「ＲＸ−ＧＰＳ＋ＧＬＯＮＡＳＳ」の文字であるＧＰＳ衛星及びグロナス衛星による測位動作を示す文字を８時の方向に配置することとしてもよい。その場合、秒針２ｃにより「ＲＸ−ＧＰＳ」という文字である測位文字５が指し示されている間に再度第１プッシュボタン６０ｂを押下すると、秒針２ｃにより「ＲＸ−ＧＰＳ＋ＧＬＯＮＡＳＳ」の文字であるＧＰＳ衛星及びグロナス衛星による測位動作を示す文字が指し示され、ＧＰＳ衛星及びグロナス衛星による測位動作が行われていることが視認できるようになる。この場合、２時の方向に配置された測時文字６から、２機程度のＧＰＳ衛星から衛星電波を受信していることが直感的に把握され、４時の方向に配置された測位文字５から、４機程度のＧＰＳ衛星から衛星電波を受信していることが直感的に把握される。また、８時の方向に配置されたＧＰＳ衛星及びグロナス衛星による測位動作を示す文字から、８機程度の衛星から衛星電波を受信していることが直感的に把握される。
【符号の説明】
【０１０９】
１  衛星電波腕時計、２  文字板、２ａ  時針、２ｂ  分針、２ｃ  秒針、３  受信成功文字、４  受信失敗文字、５  測位文字、６  測時文字、７ａ  第１都市、７ｂ  第２都市、７ｃ  第３都市、８ａ  第１光量表示文字、８ｂ  第２光量表示文字、１０  アンテナ、２０  受信回路、２１  高周波回路、２２  デコード回路、３０  制御回路、３１  演算部、３２  ＲＯＭ、３３  ＲＡＭ、３４  ＲＴＣ、３５  モータ駆動回路、４０  二次電池、４２  スイッチ、４３  太陽電池、５０  駆動機構、５１  時刻表示部、６０  操作部、６０ａ  竜頭、６０ｂ  第１プッシュボタン、６０ｃ  第２プッシュボタン、３１０  動作指示部、３１１  測位情報表示制限部、３１２  動作表示部、３１３  測位情報決定部、３１４  測位情報表示部、３１５  内部時刻修正部、３１６  受信結果表示部、３１７  過去表示情報表示部、３１７ａ  前回受信結果表示部、３１７ｂ  追加情報表示部、３１７ｃ  光量表示部、３１７ｄ  地域情報表示部。
【図１】
2019078770.tif 000003
【図２】
2019078770.tif 000004
【図３】
2019078770.tif 000005
【図４】
2019078770.tif 000006
【図５】
2019078770.tif 000007
【図６】
2019078770.tif 000008
【図７】
2019078770.tif 000009
【図８】
2019078770.tif 000010
【図９】
2019078770.tif 000011
【図１０】
2019078770.tif 000012
【図１１】
2019078770.tif 000013